(57)【要約】【課題】  たとえば目が不自由な操作者や手先が不自由な操作者であっても、容易にその操作者向けの操作機能への切り替えを行うことができる画像形成装置を提供することである。【解決手段】  操作者に対する表示を行うとともに操作者からの入力を操作ボタンで受付ける操作パネルと、操作者に対して提供する操作機能モードを設定する制御部２１とを備え、ワイヤレスＩＤキー５０からのＩＤ信号を受信する無線通信部をさらに備え、制御部２１が、無線通信部によって受信したＩＤ信号に基づいて、設定する操作機能モードを異ならせることを特徴とする。【選択図】  図３
2006015540.tif 000002
【特許請求の範囲】
【請求項１】
記憶手段に記憶されている画像データに基づき用紙に画像を形成する画像形成部と、操作者に対する表示を行うとともに操作者からの入力を操作ボタンで受付ける操作パネルと、操作者に対して提供する操作機能モードを設定する制御部とを有する画像形成装置において、
ワイヤレスＩＤキーからのＩＤ信号を受信する無線通信部をさらに有し、
前記制御部が、前記無線通信部によって受信したＩＤ信号に基づいて、設定する操作機能モードを異ならせることを特徴とする画像形成装置。
【請求項２】
前記無線通信部が前記ワイヤレスＩＤキーに対してＩＤ信号の送信を要求するＩＤ送信要求信号を送信し、
前記制御部が、前記無線通信部によってＩＤ送信要求信号を送信した後に前記無線通信部によって受信したＩＤ信号に基づいて、設定する操作機能モードを異ならせることを特徴とする請求項１に記載の画像形成装置。
【請求項３】
前記無線通信部が複数のＩＤ信号を受信した場合に、該複数のＩＤ信号のうちから１つを操作者が選択するＩＤ選択手段をさらに有することを特徴とする請求項１に記載の画像形成装置。
【請求項４】
音声出力を行う音声出力部をさらに有し、
前記制御部が制御する操作機能モードが、前記音声出力部によって操作者に対して操作の音声ガイダンスを行うか否かのモードであることを特徴とする請求項１に記載の画像形成装置。
【請求項５】
前記制御部が制御する操作機能モードが、前記操作パネルの表示を拡大して行うか否かのモードであることを特徴とする請求項１に記載の画像形成装置。
【請求項６】
前記制御部が制御する操作機能モードが、前記操作パネルにて操作者が操作する前記操作ボタンを拡大するか否かのモードであることを特徴とする請求項１に記載の画像形成装置。
【請求項７】
前記操作パネルの向きを変える操作パネル駆動部をさらに有し、
前記制御部が制御する操作機能モードが、前記操作パネル駆動部を駆動して前記操作パネルの向きを変えるか否かのモードであることを特徴とする請求項１に記載の画像形成装置。
【請求項８】
前記無線通信部が前記ＩＤ送信要求信号を送信するか否かを切り替えるＩＤ要求スイッチをさらに備えたことを特徴とする請求項２に記載の画像形成装置。
【発明の詳細な説明】
【技術分野】
【０００１】
本発明は、たとえば電子写真方式により用紙に画像形成する画像形成装置に関する。
【背景技術】
【０００２】
従来から、一様に帯電させた感光体の感光層に光を当てることによって露光して潜像を形成し、この潜像が形成された感光層にトナーを付着させることによって現像し、これを用紙に転写して画像形成を行うディジタル複写機等の電子写真方式の画像形成装置がよく知られている。
【０００３】
ところで、ユーザがこのような画像形成装置を利用するときには、画像形成装置に対する動作指示を行うための各種操作を行わなければならないが、このような操作は、人によって得手不得手があり、たとえば健常者にとっては何ら問題がない操作であっても非健常者にとっては相当に困難な操作である場合もある。
【０００４】
このような状況に対応し、たとえば特許文献１に記載の画像形成装置では、操作者が健常者か非健常者かを指定する手段を備え、この指定手段の指定状態に応じ、たとえば目が不自由な操作者に対しては音声で操作ガイドを行うなど、その操作者に向けた操作機能に切り替えるようにしている。
【０００５】
【特許文献１】特開２００３−３３５０３３号公報
【発明の開示】
【発明が解決しようとする課題】
【０００６】
ところが、上述の特許文献１に記載のような従来の画像形成装置においては以下のような問題があった。
【０００７】
すなわち、特許文献１に記載の画像形成装置においては、操作者が健常者であるか非健常者であるかをたとえばトグルスイッチを切り替えて指定するようにしており、目が不自由であったり、手先が不自由で細かな操作が苦手な操作者は、そのトグルスイッチを切り替える操作さえも困難であり、操作者が健常者か非健常者かを指定することが困難であった。
【０００８】
本発明は上記の点にかんがみてなされたもので、たとえば目が不自由な操作者や手先が不自由な操作者であっても、容易にその操作者向けの操作機能への切り替えを行うことができる画像形成装置を提供することを目的とする。
【課題を解決するための手段】
【０００９】
本発明は上記の目的を達成するために、記憶手段に記憶されている画像データに基づき用紙に画像を形成する画像形成部と、操作者に対する表示を行うとともに操作者からの入力を操作ボタンで受付ける操作パネルと、操作者に対して提供する操作機能モードを設定する制御部とを有する画像形成装置において、ワイヤレスＩＤキーからのＩＤ信号を受信する無線通信部をさらに有し、前記制御部が、前記無線通信部によって受信したＩＤ信号に基づいて、設定する操作機能モードを異ならせることを特徴とする。
【００１０】
また本発明は請求項１に記載の発明において、前記無線通信部が前記ワイヤレスＩＤキーに対してＩＤ信号の送信を要求するＩＤ送信要求信号を送信し、前記制御部が、前記無線通信部によってＩＤ送信要求信号を送信した後に前記無線通信部によって受信したＩＤ信号に基づいて、設定する操作機能モードを異ならせることを特徴とする。
【００１１】
また本発明は請求項１に記載の発明において、前記無線通信部が複数のＩＤ信号を受信した場合に、該複数のＩＤ信号のうちから１つを操作者が選択するＩＤ選択手段をさらに有することを特徴とする。
【００１２】
また本発明は請求項１に記載の発明において、音声出力を行う音声出力部をさらに有し、前記制御部が制御する操作機能モードが、前記音声出力部によって操作者に対して操作の音声ガイダンスを行うか否かのモードであることを特徴とする。
【００１３】
また本発明は請求項１に記載の発明において、前記制御部が制御する操作機能モードが、前記操作パネルの表示を拡大して行うか否かのモードであることを特徴とする。
【００１４】
また本発明は請求項１に記載の発明において、前記制御部が制御する操作機能モードが、前記操作パネルにて操作者が操作する前記操作ボタンを拡大するか否かのモードであることを特徴とする。
【００１５】
また本発明は請求項１に記載の発明において、前記操作パネルの向きを変える操作パネル駆動部をさらに有し、前記制御部が制御する操作機能モードが、前記操作パネル駆動部を駆動して前記操作パネルの向きを変えるか否かのモードであることを特徴とする。
【００１６】
また本発明は請求項２に記載の発明において、前記無線通信部が前記ＩＤ送信要求信号を送信するか否かを切り替えるＩＤ要求スイッチをさらに備えたことを特徴とする。
【発明の効果】
【００１７】
本発明によれば、たとえば目が不自由な操作者や手先が不自由な操作者であっても、容易にその操作者向けの操作機能への切り替えを行うことができる画像形成装置を提供することができる。
【００１８】
すなわち本発明によれば、操作者は所定のワイヤレスＩＤキーを身に着けているだけでよく、画像形成装置ではワイヤレスＩＤキーからの情報に基づいて操作機能の切り替えを行うので、目が不自由な操作者や手先が不自由な操作者であっても、容易にその操作者向けの操作機能への切り替えを行うことができる。
【００１９】
また、本体からのＩＤ送信要求信号が送信されない限り、ワイヤレスＩＤキーからＩＤは送信されないため、ワイヤレスＩＤキー所有者が本体に近づいても、勝手に操作機能が変更されることはない。
【発明を実施するための最良の形態】
【００２０】
以下、本発明の実施の形態を図面を参照して説明する。
【００２１】
図１は、本発明による画像形成装置の一実施の形態の構成を示す概略断面図である。本実施の形態では画像形成装置として電子写真方式の複写機を例に挙げて説明する。
【００２２】
ここで、図１を参照して本実施の形態による画像形成装置本体１００の構成および基本動作について説明する。
【００２３】
画像形成装置本体１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００２４】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００２５】
次いで他の構成を説明すると、画像形成装置本体１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、原稿読み取りユニット１にはＡＤＦ（自動原稿送り装置）１ａを接続し、原稿の両面を読取可能な構成にすることが望ましい。
【００２６】
また、画像形成装置本体１００の下部には、給紙トレイ２、３、４が配置されており、それぞれに給紙手段２ａ、３ａ、４ａが設けられている。また、画像形成装置本体１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００２７】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００２８】
画像形成装置本体１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００２９】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置本体１００の外部に排出される。
【００３０】
図２は、図１に示した画像形成装置本体１００の制御に関する構成を示すブロック図である。
【００３１】
図２に示すように、画像形成装置本体１００は、本体の全体制御を行う本体制御部２１と、原稿読み取りユニット１を有し、原稿から画像を読み取る画像入力部２２と、原稿書き込みユニット１５３Ｙ、１５３Ｍ、１５３Ｃ、１５４Ｋを有し、たとえば紙などの画像形成用紙に画像を形成する印刷制御部２５と、画像入力部２２によって読み取った画像データやそのほか、本体制御部２１で実行するソフトウェアプログラム、画像形成装置本体１００の動作に必要なパラメータ等を記憶する記憶部２４と、画像形成装置本体１００から操作者に対して情報表示したり、操作者が画像形成装置本体１００に対する操作、指示等を入力する表示操作部２６と、操作者に対する音声ガイダンス等を出力する音声出力部２７と、表示操作部２６が有する操作パネル等の向きを操作者が使いやすい向きにするためにその角度を機械的に駆動して調節する操作パネル駆動部２８と、後述のワイヤレスＩＤキー５０との間で無線通信をする無線通信部２９とを有して構成される。
【００３２】
記憶部２４に記憶する、本体制御部２１で実行するソフトウェアプログラムには、後述の本実施の形態における、画像形成装置本体１００の操作者をＩＤによって識別し、操作者に応じた操作機能モードを提供するための制御を行うソフトウェアプログラムが含まれる。また、記憶手段２４には、画像形成装置本体１００の操作者それぞれごとに予め定めたＩＤと、画像形成装置本体１００の操作者に提供する操作機能の種類すなわち操作者に提供可能な操作機能モード（具体例は後述する）とを記憶し、また、各ＩＤとそのＩＤの操作者に提供する操作機能モードとの対応付けも記憶する。
【００３３】
表示操作部２６は、たとえば、タッチパネル式の操作パネルと固定ボタン式の操作部とを有して構成される。この表示操作部２６は図１においては示していないが、画像形成装置本体１００の上段の、操作者が操作しやすい位置に設けるのがよい。
【００３４】
この表示操作部２６のタッチパネル式の操作パネルや固定ボタン式の操作部は、操作者が誰であるかによって、その操作者が使いやすいように操作パネル駆動部２８によって操作面の角度を変えることができるようにしている。これは、操作者がたとえば車椅子を使用している場合など、操作面を操作者の目の高さに向けられるようにするのが望ましいからである。
【００３５】
また、この表示操作部２６は、ＣＲＴ、液晶、ＥＬ等の表示パネル部と、表示パネルのボタン位置に対応した座標位置の検出を行うタッチパネル、マウス等の入力装置部とを含むものであってもよい。
【００３６】
本実施の形態では、表示操作部２６の操作パネルには、本体制御部２１で動作するソフトウェアプログラムによる制御の下、操作者に対して操作の案内をする操作画面が表示される。また、操作パネルの表示パネル部は、ＬＣＤで構成され、表示操作部２６内のＬＣＤコントローラによって表示の設定がされる。
【００３７】
なお、この表示操作部２６には、図５に示すように、ワイヤレスＩＤキー５０の携帯者が画像形成装置本体１００を操作する場合において、操作機能モードの自動切換処理を行うか否かを設定するためのＩＤ要求ＳＷ（スイッチ）４２も含まれる。
【００３８】
次に、本実施の形態の画像形成装置本体１００の、操作者を識別し、操作者に応じた操作機能を提供するための制御を行う処理に関する構成について説明する。
【００３９】
図３は、図１に示した画像形成装置本体１００の、操作者を識別し、操作者に応じた操作機能を提供するための制御を行う処理に関する構成を示すブロック図である。
【００４０】
本体制御部２１は、記憶部２４に予め記憶してあるソフトウェアプログラムを実行することによって図３に示す各構成として動作する。
【００４１】
図３において、ＩＤ要求設定部３０は、ＩＤ要求ＳＷ４２の状態に応じて画像形成装置本体１００がＩＤ要求信号を送出するか否かの切り替えを設定する。ＩＤ要求ＳＷ４２はたとえば管理者であるユーザが操作することによって、画像形成装置本体１００がＩＤ要求信号を送出するか否かの切り替えを行うことができる。
【００４２】
ＩＤ要求ＳＷ４２の切り替え状態は本体制御部２１のＩＤ要求設定部３０にて検出される。ＩＤ要求設定部３０は、この検出結果に基づき、ＩＤ要求ＳＷ４２が「ＩＤ要求信号を送出する」に設定されていた場合には、ＩＤ要求信号送信部３１に対してＩＤ要求信号の送出を指示する。
【００４３】
これを受けたＩＤ要求信号送信部３１は、無線通信部２９を動作させ、これによってワイヤレスＩＤキー５０に向けＩＤ要求信号を送信する。
【００４４】
このＩＤ要求信号を受信したワイヤレスＩＤキー５０では、要求に応じ、自身に予め記憶してあるＩＤを、画像形成装置本体１００に向けて送信する。
【００４５】
ワイヤレスＩＤキー５０は、画像形成装置本体１００を使用する操作者が携帯するものであり、その操作者ごとに予め付与したＩＤを記憶しており、たとえば非接触ＩＣカードで構成される。このワイヤレスＩＤキー５０はすべての操作者が携帯し、そのすべての操作者ごとに対応付けた操作機能モードを画像形成装置本体１００が提供するものであってもよいが、たとえば非健常者のみがワイヤレスＩＤキー５０を携帯し、健常者はワイヤレスＩＤキー５０を携帯しないこととし、画像形成装置本体１００では、ワイヤレスＩＤキー５０からのＩＤを受信した場合にはそのＩＤに対応付けられた操作機能モードとし、ワイヤレスＩＤキー５０からのＩＤを受信しない場合には、デフォルトとして健常者用の操作機能モードとするようにしてもよい。
【００４６】
このワイヤレスＩＤキー５０は、少なくとも、画像形成装置本体１００からのＩＤ要求信号を受信する手段と、自身のＩＤを記憶する手段と、ＩＤ要求信号を受信した場合に記憶手段に予め記憶してある自身のＩＤを送信する手段とを有して構成される。
【００４７】
ワイヤレスＩＤキー５０と画像形成装置本体１００との間の通信は、無線通信であればどのような通信方式でもよく、たとえば電波や赤外線を媒体とした通信やそのほかのものでもよく、通信プロトコルも特に限定されるものではない。
【００４８】
また、ワイヤレスＩＤキー５０と画像形成装置本体１００との間の通信は、通信可能距離が、画像形成装置本体１００とその操作をしようとしている操作者との距離程度であることが望ましい。
【００４９】
通信可能距離があまりに短いと、操作者のＩＤを正しく受信できず、その操作者向けの操作機能モードを提供できなくなってしまうし、通信可能距離があまりにも長いと、ワイヤレスＩＤキー５０を携帯しているが画像形成装置本体１００を操作しようとしていない人のＩＤまでも画像形成装置本体１００が受信してしまい、受信したＩＤの数が多すぎると正しいＩＤを選択するのが困難になってしまう。
【００５０】
画像形成装置本体１００において、複数のワイヤレスＩＤキー５０からの複数のＩＤを受信してしまった場合には、その受信した複数のＩＤのうち現在の操作者のＩＤがどれであるのかを決定する必要があるが、そのためには、現在の操作者に複数のＩＤの中から自身のＩＤを選択させるようにするのがよい。これがＩＤ選択手段である。
【００５１】
たとえば受信した複数のＩＤを表示操作部２６にて表示し、操作者がそれを見てその中から自身のＩＤを選択し表示操作部２６にて選択結果を入力するようにしてもよい。
【００５２】
また、受信した複数のＩＤを音声出力部２７にて音声出力し、操作者がそれを聞きその中から自身のＩＤを選択し表示操作部２６にて選択結果を入力するようにしてもよいし、画像形成装置本体１００に音声認識部を設けておけば、音声出力部２７からの音声出力を操作者が聞き選択結果を発音すれば、その選択結果を音声認識部にて認識することによって画像形成装置本体１００が知り得ることもできる。
【００５３】
また、画像形成装置本体１００にて複数のＩＤを受信した場合、受信した複数のＩＤのそれぞれに対応付けられた操作機能モードを、表示または音声にて操作者に提示し、自身が希望する操作機能モードとなるように操作者が画像形成装置本体１００に対して入力できるようにしてもよい。
【００５４】
さらにまた、ＩＤごとに優先順位を予め定めておき、画像形成装置本体１００にて複数のＩＤを受信した場合には、優先順位の高いＩＤに対応付けられている操作機能モードを操作者に提供するように動作するものであってもよい。
【００５５】
ワイヤレスＩＤキー５０が送信したＩＤは、ＩＤ受信部３２による制御の下で無線通信部２９によって受信される。
【００５６】
ＩＤ識別部３３は、ＩＤ受信部３２の制御の下で無線通信部２９によって受信した信号がワイヤレスＩＤキー５０からの信号であり、そのワイヤレスＩＤキー５０のＩＤ（携帯者のＩＤと同じ意味である）を含むものであるかどうかを識別する。このＩＤ識別部３３においてＩＤが識別できない場合にはＩＤを受信していないものとする。
【００５７】
ＩＤ識別部３３において受信信号の中のＩＤが識別できたならば、その受信したＩＤが、予め記憶部２４に登録されているものであるかどうか、また、そのＩＤに対応付けられて記憶部２４に操作機能モードが登録されているかどうかを、ＩＤ設定確認部３４にて確認する。この確認の結果、登録されていないものであった場合にはＩＤを受信していない場合と同じ扱いをする。
【００５８】
ＩＤ設定制御部３５は、受信したＩＤに対応付けられた操作機能モードを記憶部２４から読出し、その操作機能モードに基づいて音声制御部３８、操作画面制御部３９、操作ＳＷ制御部４０および操作パネル角度制御部４１を制御する。上述した複数のＩＤを受信した場合の処理はこのＩＤ設定制御部３５にて行う。
【００５９】
記憶部２４には、上述のように、画像形成装置本体１００の操作者それぞれごとに予め定めたＩＤや、そのＩＤの操作者に提供する操作機能モードとの対応付け等を予め記憶するが、この記憶指示は、図３のＩＤ設定内容記憶部３６およびＩＤ毎制御内容設定部３７によって行われる。これは、たとえば画像形成装置本体１００の管理者であるユーザが表示操作部２６を操作して操作者のＩＤや提供する操作機能モードを入力し、この入力内容をＩＤ毎制御内容設定部３７が検出し、それをＩＤ設定内容記憶部３６が記憶部２４に記憶する。
【００６０】
本実施の形態の画像形成装置本体１００が提供する操作機能モードとしては、（１）音声制御部３８による制御の下、音声出力部２７によって操作者に対して操作の音声ガイダンスを行うか否か（また音量はどうするか）、（２）操作画面制御部３９の制御の下、表示操作部２６に操作案内等を表示する際に見やすいように拡大して表示する（図５参照）か否か（またどの程度まで大きくするか）、（３）操作ＳＷ制御部４０の制御の下、表示操作部２６の操作パネルにて操作者が操作する操作ＳＷ（操作ボタン）を拡大するか否か（またどの程度まで大きくするか）、（４）操作パネル角度制御部４１の制御の下、操作パネル駆動部２８を駆動して表示操作部２６の操作パネルの角度（向き）を変えるか否か（また角度は何度にするか）が挙げられるが、他の操作性に関するあらゆる項目を、操作機能モードの設定にて設定変更できるようにしてもかまわない。
【００６１】
次に、本実施の形態の動作について図面を参照しながら詳細に説明する。
【００６２】
図４は、図１に示した本実施の形態の画像形成装置本体１００における操作機能モードの切り替え処理のフローチャートの一例を示す図である。
【００６３】
たとえば画像形成装置本体１００の管理者であるユーザは、予め、表示操作部２６を操作して、画像形成装置本体１００の操作者それぞれごとに予め定めたＩＤと、画像形成装置本体１００の操作者に提供する操作機能の種類すなわち操作者に提供可能な操作機能モードとを入力し、それを記憶部２４に記憶させておく。これらの記憶させる情報は、表示操作部２６を操作して入力するものに限られず、たとえば画像形成装置本体１００がネットワークに接続されるものである場合には、そのネットワークを通じて外部機器から入力されるようにしてもよい。
【００６４】
その後、画像形成装置本体１００の操作者はＩＤ要求ＳＷ４２を操作し、ワイヤレスＩＤキー５０の携帯者が画像形成装置本体１００を操作する場合において、操作機能モードの自動切換処理を行うか否かを設定する。
【００６５】
ＩＤ要求設定部３０は、ＩＤ要求ＳＷ４２の設定状態を検出し（Ａ−１）、オンすなわち「操作機能モードの自動切換処理を行う」ではない場合には、そのまま検出を続け、オンすなわち「操作機能モードの自動切換処理を行う」に設定されている場合には、ＩＤ要求信号送信部３１が無線通信部２９を制御してＩＤ信号要求信号を無線送信する（Ａ−２）。
【００６６】
操作者が携帯するワイヤレスＩＤキー５０が画像形成装置本体１００からのＩＤ信号要求信号が届く範囲に存在した場合には、ワイヤレスＩＤキー５０がこのＩＤ要求信号を受信し、それに応答し、自身の記憶部に予め記憶してあるＩＤをＩＤ信号として無線送信する。
【００６７】
画像形成装置本体１００からのＩＤ信号要求信号が届く範囲にワイヤレスＩＤキー５０が存在しない場合や、ワイヤレスＩＤキー５０からのＩＤ信号が画像形成装置本体１００に届かない場合には、無線通信部２９を制御するＩＤ受信部３２ではＩＤ信号を受信することができず（Ａ−３）（たとえば所定時間内にＩＤ信号を受信できなかった場合とすることができる）、その場合、ＩＤ設定制御部３５では、従来どおりの操作機能モードたとえばデフォルト設定の健常者用の操作機能モードになるように、音声制御部３８にて音声出力部２７を制御し、操作画面制御部３９にて表示操作部２６を制御し、操作ＳＷ制御部４０にて表示操作部２６を制御し、および操作パネル角度制御部４１にて操作パネル駆動部２８を制御する（Ａ−４）。
【００６８】
一方、ステップ（Ａ−３）において無線通信部２９を制御するＩＤ受信部３２にてＩＤ信号を受信した場合には、ＩＤ識別部３３にて受信した信号がＩＤを含むものであることを識別し、さらに、ＩＤ設定確認部３４にて、その受信したＩＤが、予め記憶部２４に登録されているものであり、そのＩＤに対応付けられて記憶部２４に操作機能モードが登録されていること確認する（Ａ−５、Ａ−６）。その後、ＩＤ設定制御部３５では、受信したＩＤに対応付けられた操作機能モードを記憶部２４から読出し、その操作機能モードに基づいて音声制御部３８にて音声出力部２７を制御し、操作画面制御部３９にて表示操作部２６を制御し、操作ＳＷ制御部４０にて表示操作部２６を制御し、および操作パネル角度制御部４１にて操作パネル駆動部２８を制御する（Ａ−７）。
【００６９】
ステップ（Ａ−６）において、受信したＩＤが記憶部２４に登録されていないものであった場合には、ＩＤ設定制御部３５では、従来どおりの操作機能モードたとえばデフォルト設定の健常者用の操作機能モードになるように、音声制御部３８にて音声出力部２７を制御し、操作画面制御部３９にて表示操作部２６を制御し、操作ＳＷ制御部４０にて表示操作部２６を制御し、および操作パネル角度制御部４１にて操作パネル駆動部２８を制御する（Ａ−４）。
【図面の簡単な説明】
【００７０】
【図１】本発明による画像形成装置の一実施の形態の構成を示す概略断面図である。
【図２】図１に示した画像形成装置本体１００の制御に関する構成を示すブロック図である。
【図３】図１に示した画像形成装置本体１００の、操作者を識別し、操作者に応じた操作機能を提供するための制御を行う処理に関する構成を示すブロック図である。
【図４】図１に示した本実施の形態の画像形成装置本体１００における操作機能モードの切り替え処理のフローチャートの一例を示す図である。
【図５】操作画面制御部３９の制御の下、表示操作部２６に操作案内等を表示する際に見やすいように拡大して表示する場合の例を示す図である。
【符号の説明】
【００７１】
１  原稿読み取りユニット
１ａ  ＡＤＦ
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
１００  画像形成装置本体
２１  本体制御部
２２  画像入力部
２３  画像処理部
２４  記憶部
２５  印刷制御部
２６  表示操作部
２７  音声出力部
２８  操作パネル駆動部
２９  無線通信部
３０  ＩＤ要求設定部
３１  ＩＤ要求信号送信部
３２  ＩＤ受信部
３３  ＩＤ識別部
３４  ＩＤ設定確認部
３５  ＩＤ設定制御部
３６  ＩＤ設定内容記憶部
３７  ＩＤ毎制御内容設定部
３８  音声制御部
３９  操作画面制御部
４０  操作ＳＷ制御部
４１  操作パネル角度制御部４１
４２  ＩＤ要求ＳＷ
５０  ワイヤレスＩＤキー
【図１】
2006015540.tif 000003
【図２】
2006015540.tif 000004
【図３】
2006015540.tif 000005
【図４】
2006015540.tif 000006
【図５】
2006015540.tif 000007